(57)【要約】【課題】従来のタイイイングバイス用ごみ受け具は、支柱を一々取り外さなくては処理できないため、磁石で自在に着脱分離することができるごみ受け具を提供する。【解決手段】タイイングバイス１１の支柱１２に組み合わせるごみ入受け具１として、収納容体２の縁部３に磁石５付き基部７を取り付けた収納容体２と、前記した支柱１２が収まる軸穴９を有し、かつ側部に設けた凹部１０が磁性素材で形成される軸基部８を一組とするフライタイイングバイス用ごみ受け具。【選択図】  図１
0003101807.tif 000002
【実用新案登録請求の範囲】
【請求項１】
フライタイイングバイスの支柱に組み合わせるごみ受け具であって、収納容体の縁部に磁石付き基部を取り付けて成る収納容体と、前記した支柱が収まる軸穴を有する側部が磁性素材で形成される軸基部を一組とする構成を特徴とするフライタイイングバイス用ごみ受け具。
【請求項２】
上記する磁性素材が、磁性金属板で形成される請求項１に記載するフライタイイングバイス用ごみごみ受け具。
【請求項３】
上記する磁性素材が、磁石で形成される請求項１に記載するフライタイイングバイス用ごみ受け具。
【請求項４】
フライタイイングバイスの支柱に組み合わせるごみ受け具であって、収納容体の縁部に磁性素材による基部を取り付けて成る収納容体と、前記した支柱が収まる軸穴を有する側部に磁石を設けた軸基部を一組とする構成を特徴とするフライタイイングバイス用ごみ受け具。
【考案の詳細な説明】
【技術分野】
【０００１】  本考案は、フライフイッシングのフライを製作する際に用いるタイイングバイスに組み合わせて使用する機能的なごみ受け具に関する。
【背景技術】
【０００２】  従来、フライフイッシングに用いるフライ（擬似餌鉤）は、市販されているものを使用することもあるが、多くの釣り人は自分でオリジナルのフライを製作しているのが一般的である。そのフライの製作においては、鳥の羽根や獣毛やスレッドとともに専用のタイイングバイスや他の加工具を用いて様々な形態の水棲昆虫を模したフライを製作するが、タイイングする際には鳥の羽根や獣毛、スレッドなど様々なマテリアル材料の切りくずが落下する。その切りくずを受け止めるためのごみ受け具として外国製品がいくつか提供されており、それらのごみ受け具の形態は切りくずを収納する浅い容体の縁に軸穴付き基部を備えたものであり、使用する際はタイイングバイスから取り外した支柱をごみ受け具の軸穴に嵌め込んで後に再度組み立てることで、フライ製作時に落下する切りくずを収納することができるごみ受け具である。
【考案の開示】
【考案が解決しようとする課題】
【０００３】  上記するような専用のごみ受け具が提供され、フライタイイング時における様々な切りくずを収納することができる。しかし使用するについては次のような不便や欠点があった。まず、ごみ受け具の縁部にはタイイングバイスの支柱が嵌まる軸穴付き軸基部を設けているが、その軸基部はごみ受け具と一体形成されているためごみ受け具に収納された切りくずを捨てる際はそのつど支柱をタイイングバイスから取り外し、さらに軸基部を支柱から抜き取って処理しなければならないので面倒である。また次に使用するに当たり再度ごみ受け具を支柱に取り付けて組み立てる必要があるなど着脱が大変面倒であり、ごみ処理に手間が掛かるタイイイングバイス用ごみ受け具であった。また支柱を一々取り外さなくても収納容体のみ分離して使える機能的なごみ受け具は提供されていなかった。
【課題を解決するための手段】
【０００４】  本考案は上記する課題を解決するために、請求項１においては、収納容体の縁部に磁石を設けた基部を取り付けた収納容体と、タイイングバイスの支柱が収まる軸穴を有し、かつ側部が磁性素材で形成される軸基部を一組とすることで、一々支柱をタイイングバイスから取り外さなくてもごみ処理が容易にできるフライタイイングバイス用ごみ受け具を構成する。【０００５】  請求項２においては、上記する磁性素材が磁性金属板を取り付けて成るフライタイイングバイス用ごみ受け具とする。【０００６】  請求項３においては、上記する磁性素材が磁石を設けて成るフライタイイングバイス用ごみ受け具とする。【０００７】  請求項４においては、収納容体の縁部に磁性素材による基部を取り付けた収納容体と、軸穴を有する側部に磁石を設けた軸基部を一組とするフライタイイングバイス用ごみ受け具を構成する。
【考案を実施するための最良の形態】
【０００８】  磁石付き基部を取り付けて成る収納容体と、タイイングバイスの支柱が収まる磁性素材で形成される軸穴付き軸基部を一組とするフライタイイングバイス用ごみ受け具を構成する。
【実施例１】
【０００９】  本考案のタイイングバイス用ごみ受け具を、図１に示す一部省略した分解斜視図と図２に示す要部の拡大縦断面図及び図３の使用状態を示す参考図を参照して説明する。【００１０】  実施例１におけるごみ受け具１は、布地や合成樹脂シート等の軟質素材による収納容体２の縁を折り返して成る袋状の縁部３に、弾性あるピアノ線や合成樹脂棒による枠棒４を取り付けた一部に、丸棒部材の一端部に磁石５を、他方側部に設けた通し穴６に前記縁枠棒４を取り付けた収納容体２を形成する。【００１１】  次に、この収納容体２を保持固定する軸基部８として、金属などの磁性素材で成る軸穴９付き軸基部８の側部に、前記収納容体２の基部７が収まる凹部１０を設けて成る軸基部８を、前記した収納容体２に組み合わせて一組とするタイイングバイス用ごみ受け具を構成する。【００１２】  以上のようなごみ受け具１を構成するので、使用する際は図３に示すようにタイイングバイスｌ１の支柱１２を取り外して後、本案の軸基部８の軸穴９に支柱１２を通してから組み立てると支柱１２に固定できる。そのうえで収納容体２の基部７を前記軸基部８の凹部１０に当接すると、磁性素材で成る基部７の凹部１０に磁着して収納容体２を保持固定することができるので、挟み部材１３に固定したフライ１４の製作過程で落下する羽根や獣毛、スレッド等の切りくず１５を真下に位置したごみ受け具１により受け止められ、また支柱１２から取り外す際は引っ張るだけで容易に分離できる。尚、実施例の磁石５は基部７側に設けているが、反対に磁性素材で成る基部７の端部に凹部１０を設け、他方の軸基部８に磁石５を設ける構成でもよい。
【実施例２】
【００１３】  実施例２のごみ受け具を図４の要部を示す分解拡大断面図を参照して説明する。本実施例におけるごみ受け具１は、前記実施例１と同様に、収納容体２の縁部３に枠棒４を設け、その枠棒４を磁石５付き基部７の通し穴６に取り付けた収納容体２を形成するが、他方の軸基部８は、真鍮や合成樹脂などの非磁性素材による軸穴９付き軸基部８の側部に設けた凹部１０の底面に、金属などの磁性板１６を取り付けた軸基部８を前記収納容体２に組み合わせたタイイングバイス用ごみ受け具を構成する。【００１４】  この実施例によるごみ受け具１の収納容体２は前記実施例１と同様であるが、組み合わせる他方の軸基部８が非磁性素材であっても、軸基部８の側部に設けた凹部１０に磁性板１６を取り付けているため、前記実施例１と同様に基部７を凹部１０に磁着固定させることができる。加えて、このタイプの場合も同様に基部７を磁性素材で形成し、他方の軸基部８側に磁石５を設ける構成でもよい。
【実施例３】
【００１５】  実施例３のごみ受け具を図５の要部を示す分解拡大断面図を参照して説明する。本実施によるごみ受け具１の収納容体２は、前記実施例１及び２と同様に、収納容体２の縁部３の枠棒４に、磁石５と通し穴６を有する基部７を取り付けた収納容体２とするが、他方の軸基部８の素材は磁性金属又は非磁性材を問わないものとし、まず軸基部８の側部に設けた凹部１０には、前記した基部７に設けた磁石５の外側面の磁極と異なる磁極面を外側にして磁石５を設けた軸基部８を、前記収納容体２に組み合わせたタイイングバイス用ごみ受け具を構成する。【００１６】  本実施例も収納容体２は前記各実施例と同じであるが、軸基部８側の凹部１０には前記収納容体２の磁石５面の磁極と異なる磁極面を外側に設けた軸基部８が組み合わされることにより、二つの磁性体による磁着となるため前記した各実施例より強力に収納容体２を保持固定することが可能である。【００１７】  本考案のごみ受け具１は以上のような構成とするが、収納容体２の素材は布地などの軟質素材であるが、合成樹脂や金属などの素材でも差し支えないものであり、また縁部３に取り付けられる基部７の素材は磁性又は非磁性素材でもよく、いずれも特に限定するものではない。
【産業上の利用可能性】
【００１８】  本考案のごみ受け具は、釣りに用いるフライフイッシングの際に使うフライタイイングバイスに組み合わせて使用するごみ受け具であるが、他の加工機器に取り付けて削りくずやごみを収納するごみ受け具としても適用できる。
【図面の簡単な説明】
【００１９】
【図１】  実施例１のタイイングバイス用ごみ受け具を示す一部省略した分解斜視図である。
【図２】  実施例１のごみ受け具の要部を示す拡大縦断面図である。
【図３】  実施例１のごみ受け具の使用状態を示す参考図である。
【図４】  実施例２のごみ受け具の要部を示す分解拡大断面図である。
【図５】  実施例３のごみ受け具の要部を示す分解拡大断面図である。
【符号の説明】
【００２０】  １  ごみ受け具
２  収納容体
３  縁部
４  枠棒
５  磁石
６  通し穴
７  基部
８  軸基部
９  軸穴
１０  凹部
１１  タイイングバイス
１２  支柱
１３  挟み部材
１４  フライ
１５  切りくず
１６  磁性板
【図１】
0003101807.tif 000003
【図２】
0003101807.tif 000004
【図３】
0003101807.tif 000005
【図４】
0003101807.tif 000006
【図５】
0003101807.tif 000007